(57)【要約】      （修正有）【課題】音と光点滅によって集合時間を確認できる集合時間確認用小型液晶付きアラームカードＢＯＸ装置を提供する。【解決手段】ＢＯＸ内部に液晶表示電子回路、時計表示電子回路、回路を作動させる電源を設置し、ＢＯＸ外部に、アラーム音スピーカー、及び、豆電球点滅装置、液晶表示部、電子回路を作動させる外部記憶カード挿入機構、電源スイッチを搭載する。必要データーを外部記憶カードに記憶させた記憶カードを装填し電源スイッチを入れる事で、必要集合時間にアラーム音、及び、豆電球点滅装置を１０分間以上作動し持参者に知らせ、液晶部の画面には必要事項を確認出来る。【選択図】図１
0003167199.tif 000002
【実用新案登録請求の範囲】
【請求項１】
アラーム音、及び、豆電球点滅装置を搭載した小型液晶付きアラームカードＢＯＸで、持参者が集合時間に遅れないよう、事前にアラーム音、及び、豆電球点滅装置で集合時間を知らせ、液晶部の画面には必要事項を表示出来る事を特徴とする小型液晶付きアラームカードＢＯＸ。
【考案の詳細な説明】
【技術分野】
【０００１】  本発明は、集合時間の事前確認を容易する様にした小型液晶付きアラームカードＢＯＸに関する。
【背景技術】
【０００２】  従来、スケジュール表、チケット等に集合時間を印刷されたものが実用に供されている。
【考案の概要】
【考案が解決しようとする課題】
【０００３】  以上に述べた従来のスケジュール表、チケット等では集合時間を自分の意志で視認する必要があり、買い物等で夢中になり、その結果、視認出来ず、よって集合時間に遅れるという欠点があった。【０００４】  本発明は、このような従来の構成が有していた問題を解決しようとするものであり、集合時間に適切に間に合わせる事の実現することを目的とするものである。
【課題を解決するための手段】
【０００５】  そして、本発明は、上記目的を達成するために、アラーム音、及び、豆電球点滅装置を搭載した小型液晶付きアラームカードＢＯＸで、持参者が集合時間に遅れないよう、事前にアラーム音、及び、豆電球点滅装置で集合時間を知らせ、液晶部の画面には必要事項を表示出来る事を特徴とする小型液晶付きアラームカードＢＯＸであり、持参者に目と耳で知らせる点である。【０００６】  上記の問題解決手段は、縦０．１ｍ、横０．０５ｍ、奥行０．０１  位の箱状の大きさで、大きさは上述以下でも良い、その箱状に３インチ程度の液晶を付け、液晶の上側にアラーム音スピーカー，豆電球を取り付け、集合時間１０分前か前後にアラーム音にて集合時間である事を知らせる、と同時に豆電球が点灯する様に設けたものである。【０００７】  又、液晶部には、外部記憶装置即ち記憶カードにて入力された内容にて文字が表示される、表示内容は、主題名、この主題名欄はは日本語、韓国語、中国語、英語、各語が入れられるようにする、次に、集合時間、集合場所、この集合時間、集合場所は一日何回でも記憶カードに書き込める、この事は一日何回も見学、集合がある場合も利用出来る、最後に責任者名、電話番号を表示する、その他必要事項があれば表示出来る。【０００８】  アラーム音は外部記憶カードに入力された集合時間１０分前くらいに知らせるが任意の時間で良い、豆電球はアラーム音と同時に、黄色の点滅になり、集合時間が過ぎれば赤色点滅にすると良い。
【考案の効果】
【０００９】  上述したように本発明の集合時間確認用小型液晶付きアラームカードＢＯＸは、アラーム音と豆電球点滅装置にて集合時間を容易に知る事が出来るという効果を発揮するものである。
【図面の簡単な説明】
【００１０】
【図１】小型液晶付きアラームカードＢＯＸ本体の鳥瞰図である。
【図２】液晶画面表示例である。
【考案を実施するための形態】
【００１１】  小さなアラームＢＯＸでＢＯＸの中には電池、液晶表示回路に時計回路が組み込まれた回路が入っており、液晶表示回路に時計回路は外部記憶カードのパソコン入力された内容を読み取り液晶表示する、又、必要な時間にアラーム音を２秒間鳴らし２秒間停止これを１０分間位作動させる、と同時に豆電球点滅装置が起動し、これも１０分間位作動する、これによりアラームＢＯＸ持参者は集合時間を容易に知る事が出来る。
【実施例】
【００１２】  以下、添付図面に従って一実施例を説明する。  図１は本発明の実施例の鳥瞰図であり、Ａは小型液晶付きアラームＢＯＸ本体ケース、１はアラーム音スピーカー、２は豆電球、３電源スイッチ、４は記憶カード挿入用穴、５は首下げ用ベルト取り付け穴、Ｂは小型液晶表示部である、Ａの小型液晶付きアラームＢＯＸ本体ケースの内部には、電池と回路基板があり、回路基板には主に液晶表示機能と時計回路が組み込まれている、外部記憶カードにはパソコン等で主題の名前、集合時間、集合場所、責任者名前と電話番号、又は、携帯番号等を外部記憶カードに入力する、その記憶カードをＡ小型液晶付きアラームＢＯＸ本体の４記憶カード挿入用穴に差し込み、３電源スイッチを入れる事により作動する。【００１３】  図２は、液晶表示画面の表示方法の１例を示したものである。
【符号の説明】
【００１４】Ａ    小型液晶付きアラームＢＯＸ本体ケース
Ｂ    小型液晶表示部
１    アラーム音スピーカー
２    豆電球
３    電源スイッチ
４    記憶カード挿入用穴
５    首下げ用ベルト取り付け穴
【図１】
0003167199.tif 000003
【図２】
0003167199.tif 000004
【手続補正書】
【提出日】平成23年1月9日(2011.1.9)
【手続補正１】
【補正対象書類名】実用新案登録請求の範囲
【補正対象項目名】全文
【補正方法】変更
【補正の内容】
【実用新案登録請求の範囲】
【請求項１】
集合時間確認用小型液晶付きアラームカードＢＯＸで、ＢＯＸ内部に液晶表示電子回路、時計表示電子回路を設け、回路を作動させる電源も設置、ＢＯＸ外部に、アラーム音スピーカー、及び、豆電球点滅装置、液晶表示部、電子回路を作動させる外部記憶カード挿入機構、電源スイッチを搭載する、液晶部には集合時間、集合場所等、必要事項が表示出来る集合時間確認用小型液晶付きアラームカードＢＯＸで、持参者が集合時間に遅れないよう、集合時間前にＢＯＸ内部の電子回路を作動させる為の必要データーを外部記憶カードに記憶させた記憶カードを装填し電源スイッチを入れる事で、必要集合時間にアラーム音、及び、豆電球点滅装置を１０分間以上作動し持参者に知らせ、液晶部の画面には必要事項を確認出来る事を特徴とし、持参者に新たに、音と、光点滅で知らせる、集合時間確認用小型液晶付きアラームカードＢＯＸ装置。
【手続補正２】
【補正対象書類名】明細書
【補正対象項目名】全文
【補正方法】変更
【補正の内容】
【考案の詳細な説明】
【技術分野】
【０００１】  本考案は、集合時間確認用小型液晶付きアラームカードＢＯＸの持参者が集合時間の事前確認を確実にする様にした集合時間確認用小型液晶付きアラームカードＢＯＸに関する。
【背景技術】
【０００２】  従来、スケジュール表、チケット等に集合時間を印刷されたものが実用に供されているが、音と光の点滅方法で知らせていない。
【考案の概要】
【考案が解決しようとする課題】
【０００３】従来のスケジュール表、チケット等では、集合時間を自分の意志で視認し集合時間内に集合場所に行く必要があるが、買い物、施設見学等で夢中になり、その結果、視認を集合時間迄に出来ず、よって集合時間に遅れるという欠点を解決しようとするものである。
【課題を解決するための手段】
【０００４】本考案は、集合時間確認用小型液晶付きアラームカードＢＯＸでＢＯＸ内部に液晶表示電子回路、時計表示電子回路を設け、回路を作動させる電源も設置、ＢＯＸ外部に、アラーム音スピーカー、及び、豆電球点滅装置、液晶表示部、電子回路を動作させる外部記憶カード挿入機構、電源スイッチを搭載する、液晶部には集合時間、集合場所等、必要事項が表示出来る集合時間確認用小型液晶付きアラームカードＢＯＸで、持参者が集合時間に遅れないよう、集合時間前にＢＯＸ内部の電子回路を作動させる為の必要データーを外部記憶カードに記憶させた記憶カードを装填し電源スイッチを入れる事で、必要集合時間にアラーム音、及び、豆電球点滅装置を１０分間以上作動し持参者に知らせ、液晶部の画面には必要事項を確認出来る事を特徴とする集合時間確認用小型液晶付きアラームカードＢＯＸであり、持参者に新たに、音と、光点滅で知らせることにより問題点を解決している。
【考案の効果】
【０００５】上述の様に、本考案の集合時間確認用小型液晶付きアラームカードＢＯＸは、従来のスケジュール表、チケット以外に、新たにアラーム音、及び、豆電球点滅装置を搭載した小型液晶付きアラームカードＢＯＸを持参する事で、持参者が集合時間に遅れないよう、事前にアラーム音、及び、豆電球点滅装置で集合時間を知らせ、液晶部の画面には必要事項を表示出来る事を特徴とする小型液晶付きアラームカードＢＯＸであり、持参者に目と耳で知らせる点である、そしてアラーム音、及び、豆電球点滅装置を１０分間以上作動させる事により友達同士、他人でも確認出来る為に、他人同士でも知らせあう事が出来、確実に集合時間に間に合わせる事に役立つ。
【図面の簡単な説明】
【０００６】
【図１】小型液晶付きアラームカードＢＯＸ本体の鳥瞰図である。
【図２】液晶画面表示例である。
【考案を実施するための形態】
【０００７】本体はプラスチック製、縦０．１ｍ、横０．０５ｍ、奥行０．０１  位の箱状の大きさで、大きさは上述以下でも良い、その箱状の内部に液晶表示電子回路、時計電子回路、電源が組み込まれ、記憶カードにて作動される、箱状外部に３インチ程度の液晶部を付け、液晶部の上側にアラーム音スピーカー，豆電球を取り付け、集合時間１０分前か前後にアラーム音にて集合時間である事を知らせる、と同時に豆電球が点灯する様に設けたものである、又、液晶部には、外部記憶カードにて入力された内容にて文字が表示される、表示内容は、主題名、この主題名欄は日本語、韓国語、中国語、英語、各語が入れられるようにする、次に、集合時間、集合場所、この集合時間、集合場所は一日何回でも記憶カードに書き込める、この事は一日何回も見学、集合がある場合も利用出来る、最後に責任者名、電話番号を表示する、その他必要事項があれば表示出来る、アラーム音は外部記憶カードに入力された集合時間１０分前くらいに知らせるが任意の時間で良い、豆電球はアラーム音と同時に、黄色の点滅になり、集合時間が過ぎれば赤色点滅にすると良い。
【実施例】
【０００８】以下、添付図面に従って一実施例を説明する、図１は本考案の実施例の鳥瞰図であり、Ａは小型液晶付きアラームＢＯＸ本体ケース、Ｂは小型液晶表示部である、１はアラーム音スピーカー、２は豆電球、３電源スイッチ、４は記憶カード挿入用穴、５は首下げ用ベルト取り付け穴、Ａの小型液晶付きアラームＢＯＸ本体ケースの内部には、電源と回路基板があり、回路基板には主に液晶表示機能と時計回路が組み込まれている、外部記憶カードにはパソコン等で主題の名前、集合時間、集合場所、責任者名前と電話番号、又は、携帯番号、集合時間１０分前時間等を外部記憶カードに入力する、その記憶カードをＡ小型液晶付きアラームＢＯＸ本体の４記憶カード挿入用穴に差し込み、３電源スイッチを入れる事により作動する。【０００９】図２は、液晶表示画面の表示方法の１例を示したものである。【００１０】本考案の一実施例は上述の如き構成からなるものであるから、チケット等以外に、新たに、音と豆電球点滅装置を持参する事により、確実に集合時間を持参者が把握する事が出来る。
【符号の説明】
【００１１】Ａ    小型液晶付きアラームＢＯＸ本体ケース
Ｂ    小型液晶表示部
１    アラーム音スピーカー
２    豆電球
３    電源スイッチ
４    記憶カード挿入用穴
５    首下げ用ベルト取り付け穴